【事件の表示】
　特願２００２−　２０７６６「コンテンツ提供取得システム」拒絶査定不服審判事件〔平成１４年１１月２９日出願公開、特開２００２−３４２６５９〕について、次のとおり審決する。
【結　論】
　本件審判の請求は、成り立たない。
【理　由】
１．手続の経緯
　本願は，平成１４年１月２９日（優先権主張平成１３年２月２２日）の出願であって，平成１７年２月７日付けで拒絶理由通知がされ，これに対し，同年４月８日付けで意見書及び手続補正書が提出されたものの，同年５月２３日付けで拒絶査定がされ，これに対し，同年６月２７日に拒絶査定不服審判がされるとともに，同年７月２５日付けで手続補正書が提出されたものである。
　
２．平成１７年７月２５日付けの手続補正について
２．１　平成１７年７月２５日付けの手続補正の内容
　平成１７年７月２５日付けで提出された手続補正書による手続補正（以下，「本件補正」という。）は，特許請求の範囲の記載を以下のように補正し，併せて発明の詳細な説明の欄の関連する記載を補正するものである。
【特許請求の範囲】
【請求項１】
　コンテンツデータを提供するコンテンツ提供装置と，当該コンテンツ提供装置から提供される上記コンテンツデータを取得するコンテンツ取得装置とからなるコンテンツ提供取得システムにおいて，
　上記コンテンツ提供装置は，
　複数種類の上記コンテンツデータの中から顧客が所望する顧客所望コンテンツデータを選択させるための，移動可能な人物を表す人物画像，及び上記コンテンツデータに基づくコンテンツのジャンル毎の棚を表す店内画像を有する３次元画像を記憶する画像記憶手段と，
　上記コンテンツ取得装置から送信された画像要求を受信する画像要求受信手段と，
　上記画像要求受信手段により受信された上記画像要求に応じて上記画像記憶手段から上記３次元画像を検索して読み出し，当該読み出した上記３次元画像を上記コンテンツ取得装置に送信する画像送信手段と，
　上記コンテンツ取得装置から上記３次元画像の表示状態に応じて送信された視聴要求を受信する視聴要求受信手段と，
　上記視聴要求受信手段により受信された上記視聴要求に対応する上記コンテンツデータに基づく上記コンテンツの視聴用データをストリーミング形式で上記コンテンツ取得装置に送信するデータ送信手段と
　を具え，
　上記コンテンツ取得装置は，
　各種操作命令を入力するための入力手段と，
　上記入力手段を介して入力された画像要求命令に応じて上記コンテンツ提供装置に上記画像要求を送信する画像要求送信手段と，
　上記画像要求送信手段による上記画像要求の送信の結果，上記コンテンツ提供装置から上記画像要求に応じて送信された上記３次元画像を受信する画像受信手段と，
　上記画像受信手段により受信された上記３次元画像を所定の表示手段に表示するようにして，上記３次元画像が受信される毎に上記表示手段に先に表示している上記３次元画像に替えて当該受信された上記３次元画像を表示するように当該３次元画像の表示を切り替えると共に，上記入力手段を介して入力された表示状態変更命令に応じて上記表示手段に表示している上記３次元画像の上記表示状態を変更する表示制御手段と，
　上記表示制御手段により上記表示手段に表示された上記３次元画像の上記表示状態に応じて上記視聴要求を上記コンテンツ提供装置に送信する視聴要求送信手段と，
　上記視聴要求送信手段による上記視聴要求の送信の結果，上記コンテンツ提供装置から上記視聴要求に応じて上記ストリーミング形式で送信された上記視聴用データを受信するデータ受信手段と，
　上記データ受信手段により受信された上記視聴用データをストリーミング再生して上記コンテンツの内容を視聴させる再生手段と
　を具え，
　上記コンテンツ取得装置の上記表示制御手段は，
　上記入力手段を介して入力された上記表示状態変更命令に応じて上記３次元画像の上記表示状態として上記店内画像内で上記人物画像の位置を変更し，
　上記コンテンツ取得装置の上記視聴要求送信手段は，
　上記店内画像内で上記人物画像が対面する上記棚に関連付けられている上記コンテンツデータに基づく上記コンテンツの試聴を要求する上記視聴要求を上記コンテンツ提供装置に送信する
　ことを特徴とするコンテンツ提供取得システム。
【請求項２】
　上記コンテンツ提供装置の上記画像記憶手段は，
　コンテンツ視聴要求用の選択項目を含む上記３次元画像を記憶し，
　上記コンテンツ取得装置の上記表示制御手段は，
　上記入力手段を介して入力された上記表示状態変更命令に応じて上記３次元画像の上記表示状態として当該３次元画像内の上記選択項目の表示状態を変更し，
　上記コンテンツ取得装置の上記視聴要求送信手段は，
　上記３次元画像内の上記選択項目の上記表示状態に応じて上記視聴要求を上記コンテンツ提供装置に送信する
　ことを特徴とする請求項１に記載のコンテンツ提供取得システム。
【請求項３】
　上記コンテンツ取得装置の上記視聴要求送信手段は，
　上記３次元画像の上記表示状態に応じて上記コンテンツデータのジャンル，当該コンテンツデータに基づく上記コンテンツのアーティスト及び又は上記コンテンツデータのタイトルを表す上記視聴要求を上記コンテンツ提供装置に送信する
　ことを特徴とする請求項１に記載のコンテンツ提供取得システム。
【請求項４】
　上記コンテンツ提供装置の上記データ送信手段は，
　上記視聴要求に対応する上記コンテンツデータの再生時間よりも短い再生時間を有する上記視聴用データを上記ストリーミング形式で上記コンテンツ取得装置に送信する
　ことを特徴とする請求項１に記載のコンテンツ提供取得システム。
【請求項５】
　上記コンテンツ取得装置の上記再生手段は，
　上記視聴用データをフェードイン処理及び又はフェードアウト処理して上記ストリーミング再生する
　ことを特徴とする請求項４に記載のコンテンツ提供取得システム。
【請求項６】
　コンテンツ提供装置から提供されるコンテンツデータをコンテンツ取得装置によって取得するコンテンツ提供取得方法において，
　上記コンテンツ提供装置は，
　上記コンテンツ取得装置から送信された画像要求を受信する画像要求受信ステップと，
　上記画像要求受信ステップで受信された上記画像要求に応じて，複数種類の上記コンテンツデータの中から顧客が所望する顧客所望コンテンツデータを選択させるための，移動可能な人物を表す人物画像，及び上記コンテンツデータに基づくコンテンツのジャンル毎の棚を表す店内画像を有する３次元画像を検索して上記コンテンツ取得装置に送信する画像送信ステップと，
　上記コンテンツ取得装置から上記３次元画像の表示状態に応じて送信された視聴要求を受信する視聴要求受信ステップと，
　上記視聴要求受信ステップで受信された上記視聴要求に対応する上記コンテンツデータに基づく上記コンテンツの視聴用データをストリーミング形式で上記コンテンツ取得装置に送信するデータ送信ステップと
　を具え，
　上記コンテンツ取得装置は，
　各種操作命令を入力するための入力手段を介して入力された画像要求命令に応じて上記コンテンツ提供装置に上記画像要求を送信する画像要求送信ステップと，
　上記画像要求送信ステップで上記画像要求を送信した結果，上記コンテンツ提供装置から上記画像要求に応じて送信された上記３次元画像を受信する画像受信ステップと，
　上記画像受信ステップで受信された上記３次元画像を所定の表示手段に表示するようにして，上記３次元画像が受信される毎に上記表示手段に先に表示している上記３次元画像に替えて当該受信された上記３次元画像を表示するように当該３次元画像の表示を切り替えると共に，上記入力手段を介して入力された表示状態変更命令に応じて上記表示手段に表示している上記３次元画像の上記表示状態を変更する表示制御ステップと，
　上記表示制御ステップで上記表示手段に表示された上記３次元画像の上記表示状態に応じて上記視聴要求を上記コンテンツ提供装置に送信する視聴要求送信ステップと，
　上記視聴要求送信ステップで上記視聴要求を送信した結果，上記コンテンツ提供装置から上記視聴要求に応じて上記ストリーミング形式で送信された上記視聴用データを受信するデータ受信ステップと，
　上記データ受信ステップで受信された上記視聴用データをストリーミング再生して上記コンテンツの内容を視聴させる再生ステップと
　を具え，
　上記コンテンツ取得装置の上記表示制御ステップは，
　上記入力手段を介して入力された上記表示状態変更命令に応じて上記３次元画像の上記表示状態として上記店内画像内で上記人物画像の位置を変更し，
　上記コンテンツ取得装置の上記視聴要求送信ステップは，
　上記店内画像内で上記人物画像が対面する上記棚に関連付けられている上記コンテンツデータに基づく上記コンテンツの試聴を要求する上記視聴要求を上記コンテンツ提供装置に送信する
　ことを特徴とするコンテンツ提供取得方法。
【請求項７】
　上記コンテンツ提供装置の上記画像送信ステップは，
　上記画像要求に応じて，コンテンツ視聴要求用の選択項目を含む上記３次元画像を上記コンテンツ取得装置に送信し，
　上記コンテンツ取得装置の上記表示制御ステップは，
　上記入力手段を介して入力された上記表示状態変更命令に応じて上記３次元画像の上記表示状態として当該３次元画像内の上記選択項目の表示状態を変更し，
　上記コンテンツ取得装置の上記視聴要求送信ステップは，
　上記３次元画像内の上記選択項目の上記表示状態に応じて上記視聴要求を上記コンテンツ提供装置に送信する
　ことを特徴とする請求項６に記載のコンテンツ提供取得方法。
【請求項８】
　上記コンテンツ取得装置の上記視聴要求送信ステップは，
　上記３次元画像の上記表示状態に応じて上記コンテンツデータのジャンル，当該コンテンツデータに基づく上記コンテンツのアーティスト及び又は上記コンテンツデータのタイトルを表す上記視聴要求を上記コンテンツ提供装置に送信する
　ことを特徴とする請求項６に記載のコンテンツ提供取得方法。
【請求項９】
　上記コンテンツ提供装置の上記データ送信ステップは，
　上記視聴要求に対応する上記コンテンツデータの再生時間よりも短い再生時間を有する上記視聴用データを上記ストリーミング形式で上記コンテンツ取得装置に送信する
　ことを特徴とする請求項６に記載のコンテンツ提供取得方法。
【請求項１０】
　上記コンテンツ取得装置の上記再生ステップは，
　上記視聴用データをフェードイン処理及び又はフェードアウト処理して上記ストリーミング再生する
　ことを特徴とする請求項９に記載のコンテンツ提供取得方法。
【請求項１１】
　コンテンツ取得装置にコンテンツデータを提供するコンテンツ提供装置において，
　複数種類の上記コンテンツデータの中から顧客が所望する顧客所望コンテンツデータを選択させるための，移動可能な人物を表す人物画像，及び上記コンテンツデータに基づくコンテンツのジャンル毎の棚を表す店内画像を有する３次元画像を記憶する画像記憶手段と，
　上記コンテンツ取得装置から送信された画像要求を受信する画像要求受信手段と，
　上記画像要求受信手段により受信された上記画像要求に応じて上記画像記憶手段から上記３次元画像を検索して読み出し，当該読み出した上記３次元画像を上記コンテンツ取得装置に送信する画像送信手段と，
　上記コンテンツ取得装置から上記３次元画像の表示状態に応じて送信された視聴要求を受信する視聴要求受信手段と，
　上記視聴要求受信手段により受信された上記視聴要求に対応する上記コンテンツデータに基づく上記コンテンツの視聴用データをストリーミング形式で上記コンテンツ取得装置に送信するデータ送信手段と
　を具え，
　上記視聴要求受信手段は，
　上記コンテンツ提供装置から送信された，上記３次元画像の上記表示状態としての上記店内画像内で上記人物画像が対面する上記棚に関連付けられている上記コンテンツデータに基づく上記コンテンツの試聴を要求する上記視聴要求を受信する
　ことを特徴とするコンテンツ提供装置。
【請求項１２】
　上記画像記憶手段は，
　コンテンツ視聴要求用の選択項目を含む上記３次元画像を記憶し，
　上記視聴要求受信手段は，
　上記コンテンツ取得装置から上記３次元画像の上記表示状態としての当該３次元画像内の上記選択項目の表示状態に応じて送信された上記視聴要求を受信する
　ことを特徴とする請求項１１に記載のコンテンツ提供装置。
【請求項１３】
　上記視聴要求受信手段は，
　上記コンテンツ取得装置から上記３次元画像の上記表示状態に応じて送信された，上記コンテンツデータのジャンル，当該コンテンツデータに基づく上記コンテンツのアーティスト及び又は上記コンテンツデータのタイトルを表す上記視聴要求を受信する
　ことを特徴とする請求項１１に記載のコンテンツ提供装置。
【請求項１４】
　上記データ送信手段は，
　上記視聴要求に対応する上記コンテンツデータの再生時間よりも短い再生時間を有する上記視聴用データを上記ストリーミング形式で上記コンテンツ取得装置に送信する
　ことを特徴とする請求項１１に記載のコンテンツ提供装置。
【請求項１５】
　コンテンツ取得装置にコンテンツデータを提供するコンテンツ提供方法において，
　上記コンテンツ取得装置から送信された画像要求を受信する画像要求受信ステップと，
　上記画像要求受信ステップで受信された上記画像要求に応じて，複数種類の上記コンテンツデータの中から顧客が所望する顧客所望コンテンツデータを選択させるための，移動可能な人物を表す人物画像，及び上記コンテンツデータに基づくコンテンツのジャンル毎の棚を表す店内画像を有する３次元画像を検索して上記コンテンツ取得装置に送信する画像送信ステップと，
　上記コンテンツ取得装置から上記３次元画像の表示状態に応じて送信された視聴要求を受信する視聴要求受信ステップと，
　上記視聴要求受信ステップで受信された上記視聴要求に対応する上記コンテンツデータに基づく上記コンテンツの視聴用データをストリーミング形式で上記コンテンツ取得装置に送信するデータ送信ステップと
　を具え，
　上記視聴要求受信ステップは，
　上記コンテンツ提供装置から送信された，上記３次元画像の上記表示状態としての上記店内画像内で上記人物画像が対面する上記棚に関連付けられている上記コンテンツデータに基づく上記コンテンツの試聴を要求する上記視聴要求を受信する
　ことを特徴とするコンテンツ提供方法。
【請求項１６】
　上記画像送信ステップは，
　上記画像要求に応じて，コンテンツ視聴要求用の選択項目を含む上記３次元画像を上記コンテンツ取得装置に送信し，
　上記視聴要求受信ステップは，
　上記コンテンツ取得装置から上記３次元画像の上記表示状態としての当該３次元画像内の上記選択項目の表示状態に応じて送信された上記視聴要求を受信する
　ことを特徴とする請求項１５に記載のコンテンツ提供方法。
【請求項１７】
　上記視聴要求受信ステップは，
　上記コンテンツ取得装置から上記３次元画像の上記表示状態に応じて送信された，上記コンテンツデータのジャンル，当該コンテンツデータに基づく上記コンテンツのアーティスト及び又は上記コンテンツデータのタイトルを表す上記視聴要求を受信する
　ことを特徴とする請求項１５に記載のコンテンツ提供方法。
【請求項１８】
　上記データ送信ステップは，
　上記視聴要求に対応する上記コンテンツデータの再生時間よりも短い再生時間を有する上記視聴用データを上記ストリーミング形式で上記コンテンツ取得装置に送信する
　ことを特徴とする請求項１５に記載のコンテンツ提供方法。
【請求項１９】
　コンテンツ提供装置に対して，
　コンテンツ取得装置から送信された画像要求を受信する画像要求受信ステップと，
　上記画像要求受信ステップで受信された上記画像要求に応じて，複数種類の上記コンテンツデータの中から顧客が所望する顧客所望コンテンツデータを選択させるための，移動可能な人物を表す人物画像，及び上記コンテンツデータに基づくコンテンツのジャンル毎の棚を表す店内画像を有する３次元画像を検索して上記コンテンツ取得装置に送信する画像送信ステップと，
　上記コンテンツ取得装置から上記３次元画像の表示状態に応じて送信された視聴要求を受信する視聴要求受信ステップと，
　上記視聴要求受信ステップで受信された上記視聴要求に対応する上記コンテンツデータに基づく上記コンテンツの視聴用データをストリーミング形式で上記コンテンツ取得装置に送信するデータ送信ステップと
　を実行させ，
　上記視聴要求受信ステップは，
　上記コンテンツ提供装置から送信された，上記３次元画像の上記表示状態としての上記店内画像内で上記人物画像が対面する上記棚に関連付けられている上記コンテンツデータに基づく上記コンテンツの試聴を要求する上記視聴要求を受信する
　ことを特徴とするコンテンツ提供プログラム。
【請求項２０】
　コンテンツ提供装置から提供されるコンテンツデータを取得するコンテンツ取得装置において，
　各種操作命令を入力するための入力手段と，
　上記入力手段を介して入力された画像要求命令に応じて上記コンテンツ提供装置に画像要求を送信する画像要求送信手段と，
　上記画像要求送信手段による上記画像要求の送信の結果，上記コンテンツ提供装置から上記画像要求に応じて送信された，複数種類の上記コンテンツデータの中から顧客が所望する顧客所望コンテンツデータを選択させるための，移動可能な人物を表す人物画像，及び上記コンテンツデータに基づくコンテンツのジャンル毎の棚を表す店内画像を有する３次元画像を受信する画像受信手段と，
　上記画像受信手段により受信された上記３次元画像を所定の表示手段に表示するようにして，上記３次元画像が受信される毎に上記表示手段に先に表示している上記３次元画像に替えて当該受信された上記３次元画像を表示するように当該３次元画像の表示を切り替えると共に，上記入力手段を介して入力された表示状態変更命令に応じて上記表示手段に表示している上記３次元画像の上記表示状態を変更する表示制御手段と，
　上記表示制御手段により上記表示手段に表示された上記３次元画像の上記表示状態に応じて視聴要求を上記コンテンツ提供装置に送信する視聴要求送信手段と，
　上記視聴要求送信手段による上記視聴要求の送信の結果，上記コンテンツ提供装置から上記視聴要求に応じてストリーミング形式で送信された，当該視聴要求に対応する上記コンテンツデータに基づく上記コンテンツの視聴用データを受信するデータ受信手段と，
　上記データ受信手段により受信された上記視聴用データをストリーミング再生して上記コンテンツの内容を視聴させる再生手段と
　を具え，
　上記表示制御手段は，
　上記入力手段を介して入力された上記表示状態変更命令に応じて上記３次元画像の上記表示状態として上記店内画像内で上記人物画像の位置を変更し，
　上記視聴要求送信手段は，
　上記店内画像内で上記人物画像が対面する上記棚に関連付けられている上記コンテンツデータに基づく上記コンテンツの試聴を要求する上記視聴要求を上記コンテンツ提供装置に送信する
　ことを特徴とするコンテンツ取得装置。
【請求項２１】
　上記画像受信手段は，
　上記画像要求に応じて上記コンテンツ提供装置から送信された，コンテンツ視聴要求用の選択項目を含む上記３次元画像を受信し，
　上記表示制御手段は，
　上記入力手段を介して入力された上記表示状態変更命令に応じて上記３次元画像の上記表示状態として当該３次元画像内の上記選択項目の表示状態を変更し，
　上記視聴要求送信手段は，
　上記３次元画像内の上記選択項目の上記表示状態に応じて上記視聴要求を上記コンテンツ提供装置に送信する
　ことを特徴とする請求項２０に記載のコンテンツ取得装置。
【請求項２２】
　上記視聴要求送信手段は，
　上記３次元画像の上記表示状態に応じて上記コンテンツデータのジャンル，当該コンテンツデータに基づく上記コンテンツのアーティスト及び又は上記コンテンツデータのタイトルを表す上記視聴要求を上記コンテンツ提供装置に送信する
　ことを特徴とする請求項２０に記載のコンテンツ取得装置。
【請求項２３】
　上記データ受信手段は，
　上記コンテンツ提供装置から上記視聴要求に応じて上記ストリーミング形式で送信された，当該視聴要求に対応する上記コンテンツデータの再生時間よりも短い再生時間を有する上記視聴用データを受信する
　ことを特徴とする請求項２０に記載のコンテンツ取得装置。
【請求項２４】
　上記再生手段は，
　上記視聴用データをフェードイン処理及び又はフェードアウト処理して上記ストリーミング再生する
　ことを特徴とする請求項２３に記載のコンテンツ取得装置。
【請求項２５】
　コンテンツ提供装置から提供されるコンテンツデータを取得するコンテンツ取得方法において，
　各種操作命令を入力するための入力手段を介して入力された画像要求命令に応じて上記コンテンツ提供装置に画像要求を送信する画像要求送信ステップと，
　上記画像要求送信ステップで上記画像要求を送信した結果，上記コンテンツ提供装置から上記画像要求に応じて送信された，複数種類の上記コンテンツデータの中から顧客が所望する顧客所望コンテンツデータを選択させるための，移動可能な人物を表す人物画像，及び上記コンテンツデータに基づくコンテンツのジャンル毎の棚を表す店内画像を有する３次元画像を受信する画像受信ステップと，
　上記画像受信ステップで受信された上記３次元画像を所定の表示手段に表示するようにして，上記３次元画像が受信される毎に上記表示手段に先に表示している上記３次元画像に替えて当該受信された上記３次元画像を表示するように当該３次元画像の表示を切り替えると共に，上記入力手段を介して入力された表示状態変更命令に応じて上記表示手段に表示している上記３次元画像の上記表示状態を変更する表示制御ステップと，
　上記表示制御ステップで上記表示手段に表示された上記３次元画像の上記表示状態に応じて視聴要求を上記コンテンツ提供装置に送信する視聴要求送信ステップと，
　上記視聴要求送信ステップで上記視聴要求を送信した結果，上記コンテンツ提供装置から上記視聴要求に応じてストリーミング形式で送信された，当該視聴要求に対応する上記コンテンツデータに基づく上記コンテンツの視聴用データを受信するデータ受信ステップと，
　上記データ受信ステップで受信された上記視聴用データをストリーミング再生して上記コンテンツの内容を視聴させる再生ステップと
　を具え，
　上記表示制御ステップは，
　上記入力手段を介して入力された上記表示状態変更命令に応じて上記３次元画像の上記表示状態として上記店内画像内で上記人物画像の位置を変更し，
　上記視聴要求送信ステップは，
　上記店内画像内で上記人物画像が対面する上記棚に関連付けられている上記コンテンツデータに基づく上記コンテンツの試聴を要求する上記視聴要求を上記コンテンツ提供装置に送信する
　ことを特徴とするコンテンツ取得方法。
【請求項２６】
　上記画像受信ステップは，
　上記画像要求に応じて上記コンテンツ提供装置から送信された，コンテンツ視聴要求用の選択項目を含む上記３次元画像を受信し，
　上記表示制御ステップは，
　上記入力手段を介して入力された上記表示状態変更命令に応じて上記３次元画像の上記表示状態として当該３次元画像内の上記選択項目の表示状態を変更し，
　上記視聴要求送信ステップは，
　上記３次元画像内の上記選択項目の上記表示状態に応じて上記視聴要求を上記コンテンツ提供装置に送信する
　ことを特徴とする請求項２５に記載のコンテンツ取得方法。
【請求項２７】
　上記視聴要求送信ステップは，
　上記３次元画像の上記表示状態に応じて上記コンテンツデータのジャンル，当該コンテンツデータに基づく上記コンテンツのアーティスト及び又は上記コンテンツデータのタイトルを表す上記視聴要求を上記コンテンツ提供装置に送信する
　ことを特徴とする請求項２５に記載のコンテンツ取得方法。
【請求項２８】
　上記データ受信ステップは，
　上記コンテンツ提供装置から上記視聴要求に応じて上記ストリーミング形式で送信された，当該視聴要求に対応する上記コンテンツデータの再生時間よりも短い再生時間を有する上記視聴用データを受信する
　ことを特徴とする請求項２５に記載のコンテンツ取得方法。
【請求項２９】
　上記再生ステップは，
　上記視聴用データをフェードイン処理及び又はフェードアウト処理して上記ストリーミング再生する
　ことを特徴とする請求項２８に記載のコンテンツ取得方法。
【請求項３０】
　コンテンツ取得装置に対して，
　各種操作命令を入力するための入力手段を介して入力された画像要求命令に応じてコンテンツ提供装置に画像要求を送信する画像要求送信ステップと，
　上記画像要求送信ステップで上記画像要求を送信した結果，上記コンテンツ提供装置から上記画像要求に応じて送信された，複数種類のコンテンツデータの中から顧客が所望する顧客所望コンテンツデータを選択させるための，移動可能な人物を表す人物画像，及び上記コンテンツデータに基づくコンテンツのジャンル毎の棚を表す店内画像を有する３次元画像を受信する画像受信ステップと，
　上記画像受信ステップで受信された上記３次元画像を所定の表示手段に表示するようにして，上記３次元画像が受信される毎に上記表示手段に先に表示している上記３次元画像に替えて当該受信された上記３次元画像を表示するように当該３次元画像の表示を切り替えると共に，上記入力手段を介して入力された表示状態変更命令に応じて上記表示手段に表示している上記３次元画像の上記表示状態を変更する表示制御ステップと，
　上記表示制御ステップで上記表示手段に表示された上記３次元画像の上記表示状態に応じて視聴要求を上記コンテンツ提供装置に送信する視聴要求送信ステップと，
　上記視聴要求送信ステップで上記視聴要求を送信した結果，上記コンテンツ提供装置から上記視聴要求に応じて上記ストリーミング形式で送信された，当該視聴要求に対応する上記コンテンツデータに基づく上記コンテンツの視聴用データを受信するデータ受信ステップと，
　上記データ受信ステップで受信された上記視聴用データをストリーミング再生して上記コンテンツの内容を視聴させる再生ステップと
　を実行させ，
　上記表示制御ステップは，
　上記入力手段を介して入力された上記表示状態変更命令に応じて上記３次元画像の上記表示状態として上記店内画像内で上記人物画像の位置を変更し，
　上記視聴要求送信ステップは，
　上記店内画像内で上記人物画像が対面する上記棚に関連付けられている上記コンテンツデータに基づく上記コンテンツの試聴を要求する上記視聴要求を上記コンテンツ提供装置に送信する
　ことを特徴とするコンテンツ取得プログラム。
 
２．２　本件補正前の特許請求の範囲の記載
　本件補正前（平成１７年４月８日付け手続補正書による補正後）の特許請求の範囲の記載は，以下のとおりである。
【特許請求の範囲】
【請求項１】〜【請求項１２】（略）
【請求項１３】
　コンテンツ取得装置にコンテンツデータを提供するコンテンツ提供装置において，
　複数種類の上記コンテンツデータの中から顧客が所望する顧客所望コンテンツデータを選択させるための３次元画像を記憶する画像記憶手段と，
　上記コンテンツ取得装置から送信された画像要求を受信する画像要求受信手段と，
　上記画像要求受信手段により受信された上記画像要求に応じて上記画像記憶手段から上記３次元画像を読み出し，当該読み出した上記３次元画像を上記コンテンツ取得装置に送信する画像送信手段と，
　上記コンテンツ取得装置から上記３次元画像の表示状態に応じて送信された視聴要求を受信する視聴要求受信手段と，
　上記視聴要求受信手段により受信された上記視聴要求に対応する上記コンテンツデータに基づくコンテンツの視聴用データをストリーミング形式で上記コンテンツ取得装置に送信するデータ送信手段と
　を具え，
　上記画像記憶手段は，
　移動可能な人物を表す人物画像を含む上記３次元画像を記憶し，
　上記視聴要求受信手段は，
　上記コンテンツ提供装置から上記３次元画像の上記表示状態としての当該３次元画像内の上記人物画像の位置に応じて送信された上記視聴要求を受信する
　ことを特徴とするコンテンツ提供装置。
【請求項１４】
　上記画像記憶手段は，
　コンテンツ視聴要求用の選択項目を含む上記３次元画像を記憶し，
　上記視聴要求受信手段は，
　上記コンテンツ取得装置から上記３次元画像の上記表示状態としての当該３次元画像内の上記選択項目の表示状態に応じて送信された上記視聴要求を受信する
　ことを特徴とする請求項１３に記載のコンテンツ提供装置。
【請求項１５】
　上記視聴要求受信手段は，
　上記コンテンツ取得装置から上記３次元画像の上記表示状態に応じて送信された，上記コンテンツデータのジャンル，当該コンテンツデータに基づく上記コンテンツのアーティスト及び又は上記コンテンツデータのタイトルを表す上記視聴要求を受信する
　ことを特徴とする請求項１３に記載のコンテンツ提供装置。
【請求項１６】
　上記データ送信手段は，
　上記視聴要求に対応する上記コンテンツデータの再生時間よりも短い再生時間を有する上記視聴用データを上記ストリーミング形式で上記コンテンツ取得装置に送信する
　ことを特徴とする請求項１３に記載のコンテンツ提供装置。
【請求項１７】
　上記画像記憶手段は，
　上記コンテンツデータに基づく上記コンテンツのジャンル毎の棚を表す店内画像を有する上記３次元画像を記憶し，
　上記視聴要求受信手段は，
　上記コンテンツ取得装置から送信された，上記店内画像内で上記人物画像が対面する上記棚に関連付けられている上記コンテンツデータの視聴を要求する上記視聴要求を受信する
　ことを特徴とする請求項１３に記載のコンテンツ提供装置。
【請求項１８】〜【請求項３６】（略）
　
２．３　本件補正についての検討
２．３．１　明らかな誤記について
　本件補正後の請求項１１には，「上記視聴要求受信手段は，上記コンテンツ提供装置から送信された，上記３次元画像の上記表示状態としての上記店内画像内で上記人物画像が対面する上記棚に関連付けられている上記コンテンツデータに基づく上記コンテンツの試聴を要求する上記視聴要求を受信する」（以下，「本件特定事項」という。）と記載され，「コンテンツ提供装置」から送信された「視聴要求を受信する」ことが特定されている。
　しかしながら，願書に最初に添付した明細書又は図面（以下，「当初明細書等」という。）には，「コンテンツ提供装置」が，「コンテンツ取得装置」から送信された「視聴要求を受信する」ことについて記載されているものの，「コンテンツ提供装置」から送信された「視聴要求を受信する」ことについては何等記載されていない。
　ところで，「コンテンツ提供装置」が具える「視聴要求受信手段」が，「コンテンツ提供装置」から送信された「視聴要求を受信する」ことは，当初明細書等の記載からみて技術的に不自然であること，また，同請求項において，「上記コンテンツ取得装置から上記３次元画像の表示状態に応じて送信された視聴要求を受信する視聴要求受信手段」のように，「視聴要求」は「コンテンツ取得装置」から送信されるものとして特定されていること，更に，補正前の請求項１７には，「上記視聴要求受信手段は，上記コンテンツ取得装置から送信された，・・・上記視聴要求を受信する」と記載されていることから，当初明細書等の記載を総合的に判断すると，補正後の請求項１１における本件特定事項の「コンテンツ提供装置から送信された」は誤記であり，正しくは「コンテンツ取得装置から送信された」であると認められる。
　また，補正後の請求項１５，１９の「コンテンツ提供装置から送信された」も同様に誤記であり，正しくは「コンテンツ取得装置から送信された」であると認められる。なお，補正前の請求項１３，１８，２３にも同様の誤記が認められる。
　よって，本件補正には，明らかな誤記があるものの，この誤記を正しく読み替えて，特許法第１７条の２第４項第３号に掲げる誤記の訂正を目的とする補正がなされたものとして以下に検討する。
　
２．３．２　特許法第１７条の２第４項の規定について
　本件補正は，特許請求の範囲についてする補正を含み，例えば，補正後の請求項１１〜１４の記載について，対応する補正前の請求項１３〜１７の記載を検討すると，
（ａ）補正後の請求項１１の「複数種類の上記コンテンツデータの中から顧客が所望する顧客所望コンテンツデータを選択させるための，移動可能な人物を表す人物画像，及び上記コンテンツデータに基づくコンテンツのジャンル毎の棚を表す店内画像を有する３次元画像を記憶する画像記憶手段」は，補正前の請求項１３の「複数種類の上記コンテンツデータの中から顧客が所望する顧客所望コンテンツデータを選択させるための３次元画像を記憶する画像記憶手段」を，同請求項の「上記画像記憶手段は，移動可能な人物を表す人物画像を含む上記３次元画像を記憶し，」との記載，及び，補正前の請求項１７の「上記画像記憶手段は，上記コンテンツデータに基づく上記コンテンツのジャンル毎の棚を表す店内画像を有する上記３次元画像を記憶し，」との記載に基づいて，限定的に減縮したものであり，
（ｂ）補正後の請求項１１の「上記画像要求受信手段により受信された上記画像要求に応じて上記画像記憶手段から上記３次元画像を検索して読み出し，当該読み出した上記３次元画像を上記コンテンツ取得装置に送信する画像送信手段」は，補正前の請求項１３の「上記画像要求受信手段により受信された上記画像要求に応じて上記画像記憶手段から上記３次元画像を読み出し，当該読み出した上記３次元画像を上記コンテンツ取得装置に送信する画像送信手段」を，自明な技術的事項に基づいて，限定的に減縮したものであり，
（ｃ）補正後の請求項１１の「上記視聴要求受信手段は，上記コンテンツ提供装置（正しくは「コンテンツ取得装置」）から送信された，上記３次元画像の上記表示状態としての上記店内画像内で上記人物画像が対面する上記棚に関連付けられている上記コンテンツデータに基づく上記コンテンツの試聴を要求する上記視聴要求を受信する」は，補正前の請求項１３の「上記視聴要求受信手段は，上記コンテンツ提供装置（正しくは「コンテンツ取得装置」）から上記３次元画像の上記表示状態としての当該３次元画像内の上記人物画像の位置に応じて送信された上記視聴要求を受信する」を，補正前の請求項１７の「上記視聴要求受信手段は，上記コンテンツ取得装置から送信された，上記店内画像内で上記人物画像が対面する上記棚に関連付けられている上記コンテンツデータの視聴を要求する上記視聴要求を受信する」との記載に基づいて，限定的に減縮したものであり，
（ｄ）また，補正後の請求項１２〜１４は，請求項１１を引用することを除いて，補正前の請求項１４〜１６から変更されていないこと，及び，補正前の請求項１７は，補正前の請求項１３のみを引用していること
から総合的に判断すると，
（ア）補正前の請求項１７に基づいて請求項１３を限定的に減縮する補正を行い，請求項１４〜１６について引用する請求項を整合させる補正を行い，請求項１７を削除する補正を行うことにより，補正後の請求項１１〜１４としたものと認められる。
　同様に，（イ）補正前の請求項６に基づいて請求項１を限定的に減縮する補正を行い，請求項２〜５について引用する請求項を整合させる補正を行い，請求項６を削除する補正を行うことにより，補正後の請求項１〜５とし，（ウ）補正前の請求項１２に基づいて請求項７を限定的に減縮する補正を行い，請求項８〜１１について引用する請求項を整合させる補正を行い，請求項１２を削除する補正を行うことにより，補正後の請求項６〜１０とし，（エ）補正前の請求項２２に基づいて請求項１８，２３を限定的に減縮する補正を行い，請求項１９〜２１について引用する請求項を整合させる補正を行い，請求項２２を削除する補正を行うことにより，補正後の請求項１５〜１９とし，（オ）補正前の請求項２９に基づいて請求項２４を限定的に減縮する補正を行い，請求項２５〜２８について引用する請求項を整合させる補正を行い，請求項２９を削除する補正を行うことにより，補正後の請求項２０〜２４とし，（カ）補正前の請求項３５に基づいて請求項３０，３６を限定的に減縮する補正を行い，請求項３１〜３４について引用する請求項を整合させる補正を行い，請求項３５を削除する補正を行うことにより，補正後の請求項２５〜３０としたものと認められる。
　したがって，本件補正において特許請求の範囲についてする補正は，特許法第１７条の２第４項第１号に掲げる「第３６条第５項に規定する請求項の削除」，同第２号に掲げる「特許請求の範囲の減縮（第３６条第５項の規定により請求項に記載した発明を特定するために必要な事項を限定するものであって，その補正前に記載された発明とその補正後の当該請求項に記載される発明の産業上の利用分野及び解決しようとする課題が同一であるものに限る。）」，同第３号に掲げる「誤記の訂正」を目的とするものに該当すると認められるから，本件補正における特許請求の範囲についてする補正は，特許法第１７条の２第４項に規定する要件を満たすものである。
　
２．３．３　特許法第１７条の２第５項の規定について
　そこで，特許法第１７条の２第４項第２号に掲げる「特許請求の範囲の減縮」を目的とする補正を含む請求項である本件補正後の請求項１１に記載されている事項により特定される発明について，特許出願の際独立して特許を受けることができるものであるか（特許法第１７条の２第５項において準用する同法第１２６条第５項の規定に適合するか）について以下に検討する。
　
（１）本願補正発明
　本件補正後の請求項１１に係る発明（以下，「本願補正発明」という。）は，本件補正により補正された請求項１１の記載について，上記２．３．１で示した明らかな誤記を正した以下のとおりのものであると認める。
　
【請求項１１】
　コンテンツ取得装置にコンテンツデータを提供するコンテンツ提供装置において，
　複数種類の上記コンテンツデータの中から顧客が所望する顧客所望コンテンツデータを選択させるための，移動可能な人物を表す人物画像，及び上記コンテンツデータに基づくコンテンツのジャンル毎の棚を表す店内画像を有する３次元画像を記憶する画像記憶手段と，
　上記コンテンツ取得装置から送信された画像要求を受信する画像要求受信手段と，
　上記画像要求受信手段により受信された上記画像要求に応じて上記画像記憶手段から上記３次元画像を検索して読み出し，当該読み出した上記３次元画像を上記コンテンツ取得装置に送信する画像送信手段と，
　上記コンテンツ取得装置から上記３次元画像の表示状態に応じて送信された視聴要求を受信する視聴要求受信手段と，
　上記視聴要求受信手段により受信された上記視聴要求に対応する上記コンテンツデータに基づく上記コンテンツの視聴用データをストリーミング形式で上記コンテンツ取得装置に送信するデータ送信手段と
　を具え，
　上記視聴要求受信手段は，
　上記コンテンツ取得装置から送信された，上記３次元画像の上記表示状態としての上記店内画像内で上記人物画像が対面する上記棚に関連付けられている上記コンテンツデータに基づく上記コンテンツの試聴を要求する上記視聴要求を受信する
　ことを特徴とするコンテンツ提供装置。
　
（２）引用例
（引用例１）
　原査定の拒絶の理由に引用された特開平１１−３４５２６１号公報（平成１１年１２月１４日出願公開，以下「引用例１」という。）には，図面と共に，以下の事項が記載されている。
（Ａ）【００２３】〜【００３３】段落
「【００２３】図１は，本発明のシステム構成図を示す。図１において，センタ装置１は，コンテンツおよび利用結果を管理するものであって，ここでは，コンテンツ管理手段２，端末管理テーブル３，コンテンツ管理テーブル４，およびコンテンツ利用管理テーブル５などから構成されるものである。
【００２４】コンテンツ利用条件管理手段２は，コンテンツの利用方法を一括管理したりなどするものである。コンテンツ利用結果管理手段６は，コンテンツの利用結果を受信して一括管理したり，コンテンツの利用結果を集計して各権利者毎に配分したり，コンテンツの利用結果を集計して上位所定範囲のコンテンツを登録されている端末にダウンロードしたりなどするものである。
【００２５】端末管理テーブル３は，コンテンツの利用をする端末１１を予め登録するテーブルであって，後述する図４の（ａ）に示すように，コンテンツのダウンロードを受ける資格のある端末１１の端末ＩＤあるいは利用者ＩＤを登録するものである。
【００２６】コンテンツ管理テーブル４は，コンテンツを管理するテーブルであって，後述する図４の（ｂ）に示すように，コンテンツＩＤに対応づけて利用条件（複製，試聴，ＢＧＭなどの利用条件）を予め登録したものである。
【００２７】コンテンツ利用管理テーブル５は，端末１１にダウンロードしたコンテンツあるいは保管していた場合には読み出したコンテンツの利用結果を一括管理するテーブルであって，後述する図４の（ｃ）に示すように，端末ＩＤに対応づけて利用したコンテンツＩＤ，および利用結果（例えば媒体へ複製して販売），利用日時，利用者名，売上などを登録して管理するものである。
【００２８】端末１１は，センタ装置１からコンテンツのダウンロードを受けてあるいは保管していた場合には読み出したコンテンツを利用する端末であって，ここでは，コンテンツ利用手段１２，処理手段１３，表示装置１４，入力装置１６，および図示外のコンテンツを保管する大容量の外部記憶装置などから構成されるものである。
【００２９】コンテンツ利用手段１２は，センタ装置１からダウンロードを受けたコンテンツを外部記憶装置に保管したり，媒体に出力して販売したり，ＢＧＭとして表示／音声出力したり，利用結果をセンタ装置１に送信したりなどするものである。
【００３０】処理手段１３は，各種処理を行うものであって，例えばダウンロードを受けた圧縮されたコンテンツを伸長したり，コンテンツの媒体への出力時にすかし情報を当該コンテンツに埋め込んだりなどの各種処理を行うものである。
【００３１】表示装置１４は，各種情報を画面１５上に表示するものである。入力装置１６は，画面１５上に表示されたコンテンツのリスト中から任意の１つあるいは複数を選択する入力装置（例えばマウス，キーボードなどの入力装置）である。
【００３２】出力装置１７は，コンテンツを表示したり，コンテンツを印刷したり，コンテンツを媒体（ＣＤ−Ｒ，ＤＶＤなどの記録媒体）に出力したり，ＬＡＮや回線を介して利用者にコンテンツをダウンロードしたりなどするものである。
【００３３】スピーカー１８は，コンテンツを発声するものである。」
（Ｂ）【００３４】〜【００４２】段落
「【００３４】次に，図２のフローチャートに示す順番に従い，図１の構成の動作を詳細に説明する。図２は，本発明の動作説明フローチャート（全体）を示す。ここで，センタ装置１および端末１１は，図１のセンタ装置１および端末１１に相当する。また，通常は，端末１１でＤＶＤなどの大容量の記憶媒体にコンテンツを保管してこれを読み出し媒体に複製して販売などするが，この他に，センタ装置１からダウンロードを受けて外部記憶装置に保管すると共にこれを媒体に複製して販売などする場合もある。ここでは，両者を含めて説明する。
【００３５】図２において，Ｓ１は，コンテンツリスト要求を送信する。これは，端末１１がコンテンツリスト要求をセンタ装置１に送信する。Ｓ２は，リストを送信する。これは，センタ装置１がＳ１の端末１１からのコンテンツリスト要求に対応して，コンテンツリストを端末１１に向けて送信する。
【００３６】Ｓ３は，コンテンツ一覧を表示する。これは，Ｓ２でセンタ装置１から送信されてきたコンテンツリストの一覧を端末１１が表示装置１４の画面１５上に表示，例えば後述する図３の（ｂ）に示すようにコンテンツ一覧を表示する。
【００３７】Ｓ４は，コンテンツを選択する。これは，Ｓ３で画面１５上に表示されたコンテンツリストの一覧中から任意の１つあるいは複数を顧客が選択すると共に，利用方法を後述する図３の（ａ）の画面１５上から選択する。そして，顧客が選択したコンテンツおよびその利用方法をセンタ装置１に送信する。
【００３８】Ｓ５は，チェックする。これは，Ｓ４で端末１１から送信されてきたコンテンツとその利用方法をチェック，例えば端末１１の端末ＩＤが図４の（ａ）の端末管理テーブル３に登録されていて利用資格があるかチェックしたり，利用方法が図４の（ｂ）のコンテンツ管理テーブル４中の該当コンテンツＩＤの利用条件を満たすかチェックしたりする。チェック結果がＯＫの場合には，Ｓ６に進む。ＮＯの場合には，図示しないが，エラーとして端末１１に返答する。
【００３９】Ｓ６は，コンテンツを暗号化および圧縮する。Ｓ７は，Ｓ６で暗号化および圧縮したコンテンツを該当する端末１１に送信（ダウンロード）する。
【００４０】Ｓ８は，Ｓ７でダウンロードされたコンテンツを受信した端末１１が伸長および復号化を行う。Ｓ９は，コンテンツを利用する。例えばコンテンツを媒体（フラッシュメモリ，ＣＤ−Ｒ，ＭＤ，テープ，ＤＶＤなどの媒体）に記録したり，顧客に試聴させたりする。
【００４１】Ｓ１０は，コンテンツ利用結果を送信する。これは，Ｓ９で利用したコンテンツの利用結果（例えば複製，試聴などの利用結果）をセンタ装置１に送信する。Ｓ１１は，Ｓ１０で送信されてきたコンテンツ利用結果を一括管理する。例えば後述する図４の（ｃ）のコンテンツ利用管理テーブル５に示すように，端末ＩＤに対応づけて，利用したコンテンツＩＤ，利用結果（例えば複製）などを登録して一括管理する。これにより，各端末ＩＤ（顧客毎）にコンテンツの利用結果（複製など）をリアルタイムに一括管理し，著作権などに基づく課金を集計して請求などすることが可能となる。
【００４２】以上によって，各端末１１は，コンテンツリスト要求をセンタ装置１に送信して返信されてきたコンテンツリスト一覧を表示し，顧客が選択したコンテンツおよびその利用方法をセンタ装置１に送信してチェックし，ＯＫのときにそのコンテンツのダウンロードを受けて媒体に複製して販売したり，試聴させたりなどし，その利用結果をセンタ装置１にリアルタイムに返信して当該センタ装置１でコンテンツの利用結果を一括管理し，著作権などに基づく課金をコンテンツ毎かつその利用結果毎にきめ細かく正確に管理することが可能となる。以下順次詳細に説明する。」
（Ｃ）【００５８】〜【００６４】段落
「【００５８】次に，図６のフローチャートに示す順番に従い，図１の構成の動作（ストリーミング配信の動作）を詳細に説明する。図６は，本発明の動作説明フローチャート（ストリーミング配信）を示す。
【００５９】図６の（ａ）において，Ｓ３１は，コンテンツ要求処理する。これは，端末１１がコンテンツ要求をセンタ装置１に送信する。Ｓ３２は，コンテンツをブロック単位で受信する。これは，端末１１がＳ３１でコンテンツ要求を送信したことに対応して，センタ装置１からブロック単位でコンテンツを送信する。
【００６０】Ｓ３３は，出力可能単位になったか判別する。これは，Ｓ３２で端末１１が受信してバッファに格納したコンテンツが，媒体に出力する可能な単位（例えばＣＤ−Ｒなどの最小書き込み単位（例えば１トラック分のデータ量））になったか判別する。ＹＥＳの場合には，Ｓ３４に進む。ＮＯの場合には，Ｓ３２に戻り繰り返す。
【００６１】Ｓ３４は，Ｓ３３のＹＥＳで，受信したコンテンツが出力可能単位になったと判明したので，出力（記録媒体に書き込むまたは音声，映像として出力）する。Ｓ３５は，受信終了か判別する。ＹＥＳの場合には，終了する。ＮＯの場合には，Ｓ３２に戻り繰り返す。
【００６２】図６の（ｂ）は，データの流れを説明する図を示す。図６の（ｂ）において，ネットワーク上の楽曲データは，コンテンツの例であって，ヘッダを付加して所定ブロック単位にして順次送出する様子を示す。
【００６３】端末１１は，ネットワークを経由して受信したここでは楽曲データをブロック単位に受信して内部のバッファに一旦蓄積し，出力可能単位になる毎に図示の外部記憶装置２２に保管したり，媒体（例えばフラッシュメモリ，ＣＤ−Ｒ，ＭＤ，ＤＶＤなど）２１に書き込んだりなどするものである。
【００６４】再生装置２３は，外部記憶装置２２に保管したコンテンツ（ここでは楽曲データ）を読み出して再生（画像表示，音声出力）するものである。以上のように，コンテンツをブロック単位で受信した端末１１内で出力可能単位になる毎に媒体２１に書き込んだり，外部記憶装置２２に保管したりなどすることにより，コンテンツを受信しつつ媒体２１に書き込むことができ，配信の待ち時間を短縮することが可能となる（従来は，コンテンツの全部を受信した後，一括して媒体２１などに書き込んでいたため，コンテンツのデータサイズが大きい（例えば音楽ＣＤの６４０ＭＢと大きい）と，媒体２１に書き込み開始するまでに長時間（例えば数分ないし数十分）待たさせてしまっていた）。」
　この記載からみて，引用例１には，以下の発明（以下，「引用例１記載の発明」という。）が記載されていると認められる。
「端末にコンテンツを提供するセンタ装置において，
　上記端末から送信されたコンテンツリスト要求を受信するコンテンツリスト要求受信手段と，
　上記コンテンツリスト要求受信手段により受信された上記コンテンツリスト要求に応じて複数種類の上記コンテンツの中から顧客が所望する顧客所望コンテンツを選択させるためのコンテンツリストを上記端末に送信するコンテンツリスト送信手段と，
　上記端末から上記コンテンツリストに応じて送信されたコンテンツ要求を受信するコンテンツ要求受信手段と，
　上記コンテンツ要求受信手段により受信された上記コンテンツ要求に対応する上記コンテンツをストリーミング配信で上記端末に送信するデータ送信手段と
　を具えたセンタ装置」
　
（引用例２）
　同じく，原査定の拒絶の理由に引用された特開平９−９７３４９号公報（平成９年４月８日出願公開，以下「引用例２」という。）には，図面と共に，以下の事項が記載されている。
（Ｄ）【０００１】〜【０００７】段落
「【０００１】
【産業上の利用分野】仮想空間中の何れかの領域において視点を移動させ，その移動に伴って視点における領域の眺めを表示面上に表示すると共に，その表示についての解説を読み上げて，臨場感を高めるプレゼンテーション装置に関する。
【０００２】
【従来の技術】近年ハードウェア技術の進歩や３次元コンピュータグラフィックの描画技術の急速な発達に伴い，この描画技術を用いて『バーチャルウォークスルー』を実現するための研究が盛んになされている。『バーチャルウォークスルー』とは，三次元座標系で物体の位置や形状が定義された空間（仮想空間という）の中の光景を表示面に投影させ，操作者の操作に伴い，その投影像を切り換えることで，恰も仮想空間内を移動しているかのように感覚を操作者に与えるものである。このような研究の背景には，仮想店舗システム，仮想展示システム等という，仮想空間を用いた販売形態を実現しようという産業動向がある。
【０００３】一般に店舗や展示場を用いた販売・展示はかなり大掛かりなものであるが，仮想店舗システム，仮想展示システムでは，これをコンピュ−タ・グラフィックスによって形成した仮想店舗，仮想展示場内で行う。この仮想展示場内で買い手側に『バーチャルウォークスルー』を行わせ，具体的な商品像を提供し購買意欲をそそる。このように『バーチャルウォークスルー』を実現すれば，例えば商品の試作機が未完成の段階でも，具体的な商品像を買い手側に提供できる。またマンションやオフィスビルの建造中に，『バーチャルウォークスルー』によってフロントの造り，部屋の間取り，インテリア等の立体的なイメージを買い手側に提供することもできる。
【０００４】ただし当然のことながら，商品の仕様，利点，セールスポイント等は，このようなコンピュ−タ・グラフィックスの投影像のみでは伝えられない。またグラフィックスの表示のみでは無味乾燥であり，商品を購入させるだけの説得力が無い場合がある。このような点に鑑み『バーチャルウォークスルー』によって表示面に新たな画像が表れる毎に，その画像に対して，商品の仕様，利点，セールスポイント等の解説を読み上げ，『バーチャルウォークスルー』に臨場感を持たせることが行われる。このように『バーチャルウォークスルー』を実行すると共に，商品の仕様，利点，セールスポイント等の解説を読み上げて臨場感を持たせる装置をプレゼンテーション装置という。
【０００５】次に，図１９の説明図を参照しながら『ヴァーチャルウォークスルー』を用いた仮想展示会について説明を行う。図１９は，『ヴァーチャルウォークスルー』を用いた仮想展示会について説明するための説明図である。本図に示すように，本仮想展示場には，仮想空間内に通路が設けられ，その通路沿いに，ＡＶシステム１０１，オーディオシステム１０２，業務用カラーコピー機１０３といった展示物が展示されている。操作者がキーパッド等を操作してこれらの何れかのに視線を向けると，これらの展示内容のうち，視野内に入るものが，グラフィックスとしてディスプレィに表示される。また，これらのグラフィックスに対応して，これらの展示物のセールスポイント（解説）が読み上げられる。
【０００６】ディスプレィに描画されたグラフィックスと，解説との対応関係を図２０の説明図を参照しながら説明する。本説明図では，ディスプレィに業務用カラーコピー機１０３の投影像グラフィックスが表示されている状態では，『業務用カラーコピー機で御座います。本機は業界最高速の給紙性能と，１０００万色の色彩表現が可能で・・・・』といったセールスポイントが読み上げられる。また，ＡＶシステム１０１の投影像のグラフィックスが表示されている状態では，『デジタルビデオを用いましたＡＶシステムで御座います。本ＡＶシステムはデジタル映像時代に先駆けて・・・・』といったセールスポイントが読み上げられる。更に，オーディオシステム１０２のグラフィックスが表示されている状態では，『オーディオシステムで御座います。本オーディオシステムは１０年来のベストセラー製品で・・・・』といったセールスポイントが読み上げられる。このように，操作者によるキー操作に応じて操作に対応するグラフィックスをディスプレィに表示し，その画像に対しての解説を読み上げることで，展示内容の印象を強めることができる。
【０００７】解説の読み上げには，他にも仮想空間において所定の解説を読み上げる音源スポットを何個か設けておき，視点がこれらの音源スポットの近傍を横切る度に各音源スポットの解説を読み上げて臨場感を与えるといったものもある。」
（Ｅ）【００３７】〜【００４１】段落
「【００３７】図１に示すように，本実施例における画像表示装置は，表示面に仮想展示会内の様子を映ずるディスプレィ２１と，操作者による操作がなされるキーパッド２２及びマウス２３と，ディスプレィ２１に表示された眺めに対応する解説が出力されるスピーカ２４とを有している。この表示面には，図２に示すように，仮想展示会中の光景が映ずるようになっている。そして，表示面上に映ずる仮想展示会の光景は，図１に示したキーパッド２２及びマウス２３に対する指示によって切り換わるようになっている。そのため，操作者は，このキーパッド２２やマウス２３に対して指示を行うと，恰も仮想展示会の中を歩行しているような感覚を得ることができる。
【００３８】次に，図２，図３の説明図を参照しながら仮想展示会と表示面との対応について説明を行う。図２に示すように，表示面には，仮想展示会中に設けられている通路や展示物等の像が投影される。キーパッド２２及びマウス２３への操作によって視点は通路上を進んで行き，それに伴って，ディスプレィ２２の表示面上の投影像は切り替わってゆく。この投影像の切り替わりによって操作者は恰も仮想空間中を歩行しているような感覚を得ることができる。
【００３９】図２は，本実施例において採用している座標データフォーマットの説明図を示す。同図に示すように，本実施例における仮想空間直交座標系は，画面の水平方向をＸ軸に，画面の垂直方向をＹ軸に，画面の奥行き方向をＺ軸に選んでいる。この座標系では，Ｘ，Ｙ，Ｚ軸はそれぞれ右向き，上向き，奥向きが正の方向とする。各点はこの直交座標系における１つの座標点（ｘ，ｙ，ｚ）として取り扱う。
【００４０】図４はプレゼンテーション装置の構成図である。本プレゼンテーション装置は，シーンデータ記憶部１と，音声エリア記憶部２と，レールデータ記憶部３と，視点位置レジスタ４と，視線方向ベクトルレジスタ５と，視線方向ベクトルレジスタ更新部６と，視点移動方向レジスタ７と，視点移動方向レジスタ更新部８と，レンダリング部９と，カーソル制御部１０と，ピッキング処理部１１と，音声データ記憶部１２と，音声エリア検索部１３と，音声再生部１４と，移動速度算出部１５と，視点位置レジスタ更新部１６と，フレームバッファ１７と，制御部１９と，ディスプレィ２１と，キーパッド２２と，マウス２３と，スピーカ２４とを備えている。
【００４１】シーンデータ記憶部１は，例えば磁気ディスクや光ディスクを用いた補助記憶装置または半導体メモリにより構成された主記憶装置などにより実現され，複数の三次元オブジェクトを記憶する。三次元オブジェクトとは，広義には三次元空間において，表示すべき物体の位置や形状を定義するオブジェクトであり，仮想空間における展示物や建造物等がこれに相当する。次に，図５の説明図を参照しながらシーンデータ記憶部１の記憶内容について説明を行う。」
　
　
（３）対比
　そこで，本願補正発明と引用例１記載の発明とを比較すると，
ａ）引用例１記載の発明の「端末」，「コンテンツ」は，それぞれ，本願補正発明の「コンテンツ取得装置」，「コンテンツデータ」に相当し，
ｂ）引用例１記載の発明の「コンテンツリスト」と，本願補正発明の「画像」は，「コンテンツ選択用表示」である点で共通することから，引用例１記載の発明の「上記端末から送信されたコンテンツリスト要求を受信するコンテンツリスト要求受信手段」と，本願補正発明の「上記コンテンツ取得装置から送信された画像要求を受信する画像要求受信手段」は，「上記コンテンツ取得装置から送信されたコンテンツ選択用表示要求を受信するコンテンツ選択用表示要求受信手段」で共通し，
ｃ）引用例１記載の発明の「上記コンテンツリスト要求受信手段により受信された上記コンテンツリスト要求に応じて複数種類の上記コンテンツの中から顧客が所望する顧客所望コンテンツを選択させるためのコンテンツリストを上記端末に送信するコンテンツリスト送信手段」と，本願補正発明の「複数種類の上記コンテンツデータの中から顧客が所望する顧客所望コンテンツデータを選択させるための，移動可能な人物を表す人物画像，及び上記コンテンツデータに基づくコンテンツのジャンル毎の棚を表す店内画像を有する３次元画像を記憶する画像記憶手段」及び「上記画像要求受信手段により受信された上記画像要求に応じて上記画像記憶手段から上記３次元画像を検索して読み出し，当該読み出した上記３次元画像を上記コンテンツ取得装置に送信する画像送信手段」は，「上記コンテンツ選択用表示要求受信手段により受信された上記コンテンツ選択用表示要求に応じて複数種類の上記コンテンツの中から顧客が所望する顧客所望コンテンツを選択させるためのコンテンツ選択用表示を上記コンテンツ取得装置に送信するコンテンツ選択用表示送信手段」で共通し，
ｄ）引用例１記載の発明の「コンテンツ要求」は，本願補正発明の「視聴要求」に相当することから，引用例１記載の発明の「上記端末から上記コンテンツリストに応じて送信されたコンテンツ要求を受信するコンテンツ要求受信手段」と，本願補正発明の「上記コンテンツ取得装置から上記３次元画像の表示状態に応じて送信された視聴要求を受信する視聴要求受信手段」は，「上記コンテンツ取得装置から上記コンテンツ選択用表示に応じて送信された視聴要求を受信する視聴要求受信手段」で共通し，
ｅ）引用例１記載の発明の「コンテンツをストリーミング配信で上記端末に送信する」ことは，本願補正発明の「コンテンツデータに基づくコンテンツの視聴用データをストリーミング形式で上記コンテンツ取得装置に送信する」に対応することから，引用例１記載の発明の「上記コンテンツ要求受信手段により受信された上記コンテンツ要求に対応する上記コンテンツをストリーミング配信で上記端末に送信するデータ送信手段」と，本願補正発明の「上記視聴要求受信手段により受信された上記視聴要求に対応する上記コンテンツデータに基づく上記コンテンツの視聴用データをストリーミング形式で上記コンテンツ取得装置に送信するデータ送信手段」は，「上記視聴要求受信手段により受信された上記視聴要求に対応する上記コンテンツデータに基づく上記コンテンツの視聴用データをストリーミング形式で上記コンテンツ取得装置に送信するデータ送信手段」で共通し，
ｆ）引用例１記載の発明の「センタ装置」と，本願補正発明の「コンテンツ提供装置」は，以下の点で相違するものの，「コンテンツ提供装置」である点で共通していることから，
　本願補正発明と引用例１記載の発明は，
「コンテンツ取得装置にコンテンツデータを提供するコンテンツ提供装置において，
　上記コンテンツ取得装置から送信されたコンテンツ選択用表示要求を受信するコンテンツ選択用表示要求受信手段と，
　上記コンテンツ選択用表示要求受信手段により受信された上記コンテンツ選択用表示要求に応じて複数種類の上記コンテンツの中から顧客が所望する顧客所望コンテンツを選択させるためのコンテンツ選択用表示を上記コンテンツ取得装置に送信するコンテンツ選択用表示送信手段と，
　上記コンテンツ取得装置から上記コンテンツ選択用表示に応じて送信された視聴要求を受信する視聴要求受信手段と，
　上記視聴要求受信手段により受信された上記視聴要求に対応する上記コンテンツデータに基づく上記コンテンツの視聴用データをストリーミング形式で上記コンテンツ取得装置に送信するデータ送信手段と
　を具えるコンテンツ提供装置」
である点で一致し，以下の点で相違している。
　
［相違点１］
　コンテンツ選択用表示要求受信手段で要求を受信し，コンテンツ選択用表示送信手段で送信する，「複数種類の上記コンテンツデータの中から顧客が所望する顧客所望コンテンツデータを選択させるためのコンテンツ選択用表示」が，本願補正発明では，「移動可能な人物を表す人物画像，及び上記コンテンツデータに基づくコンテンツのジャンル毎の棚を表す店内画像を有する３次元画像」であり，当該３次元画像を記憶する「画像記憶手段」を具え，「コンテンツ選択用表示送信手段」が，「上記画像記憶手段から上記３次元画像を検索して読み出し，当該読み出した上記３次元画像を上記コンテンツ取得装置に送信する画像送信手段」であるのに対して，引用例１記載の発明では，「コンテンツリスト」であり，当該コンテンツリストの記憶手段を具え，「コンテンツ選択用表示送信手段」が，記憶手段から送信する情報を検索して読み出しているかどうか明確ではない点。
　
［相違点２］
　上記コンテンツ取得装置から上記コンテンツ選択用表示に応じて送信された視聴要求を受信する視聴要求受信手段が，本願補正発明では，「上記コンテンツ取得装置から上記３次元画像の表示状態に応じて送信された視聴要求を受信する視聴要求受信手段」であり，「上記視聴要求受信手段は，上記コンテンツ取得装置から送信された，上記３次元画像の上記表示状態としての上記店内画像内で上記人物画像が対面する上記棚に関連付けられている上記コンテンツデータに基づく上記コンテンツの試聴を要求する上記視聴要求を受信する」ものであるのに対して，引用例１記載の発明では，「コンテンツリスト」から選択されたコンテンツ要求を受信するものである点。
　
（４）当審の判断
［相違点１について］
　引用例２の上記摘記事項（Ｄ）に，３次元コンピュータグラフィックの描画技術を用いて，買い手に『バーチャルウォークスルー』を行わせる仮想店舗システムや仮想展示システムが従来技術として記載されており，販売・展示システムのユーザーインターフェースとして，３次元画像表示を用いることは，この出願の出願前において，一般に行われていることであり，引用例１記載の発明において，コンテンツを選択のためのユーザーインターフェースとして，引用例２記載の技術的事項を採用することは，当業者が行う通常の創作活動の範囲内のものと認められる。
　そして，引用例２の上記摘記事項（Ｅ）には，シーンデータ記憶部に，３次元仮想空間内の展示物や建造物等の表示すべき物体の位置や形状を定義するオブジェクトを記憶することが記載されており，また，このような３次元仮想空間内において，移動可能な人物を表す人物画像（アバター画像）を用いることは周知技術であること，商品棚を表す店内画像を用いることは周知技術（例えば，特開平９−６５７４号公報，特開平９−６５７７号公報等参照）であり，特に，通常のレコード店の商品棚が楽曲のジャンル毎に分類されていることを勘案すれば，引用例１記載の発明の「コンテンツ選択用表示」として，「移動可能な人物を表す人物画像，及び上記コンテンツデータに基づくコンテンツのジャンル毎の棚を表す店内画像を有する３次元画像」を採用し，当該３次元画像を記憶する「画像記憶手段」を具え，「コンテンツ選択用表示送信手段」を，「上記画像記憶手段から上記３次元画像を検索して読み出し，当該読み出した上記３次元画像を上記コンテンツ取得装置に送信する画像送信手段」とすることは，当業者が容易に成し得たものと認められる。
　したがって，相違点１に係る本願補正発明の構成は，引用例１記載の発明，引用例２の記載事項及び周知技術に基づいて，当業者が容易に想到し得たものである。
　
［相違点２について］
　引用例２の上記摘記事項（Ｄ）には，仮想空間内の展示物に対して，操作者がキーパッド等を操作してこれらの何れかに視線を向けると，これらの展示内容のうち，視野内に入るものが，グラフィックスとしてディスプレィに表示され，これらのグラフィックスに対応して，これらの展示物のセールスポイント（解説）が読み上げられる（０００５段落）ことから，操作者が操作して展示物に視線を向け，視野内の展示物に対応する解説が読み上げられること，すなわち，仮想空間内の表示状態として対面する展示物（商品）に関連づけられているセールスポイント（解説）を要求していることが記載されており，また，解説の読み上げには，他にも仮想空間において所定の解説を読み上げる音源スポットを何個か設けておき，視点がこれらの音源スポットの近傍を横切る度に各音源スポットの解説を読み上げるといったものもある（０００７段落）ことから，音源スポットに対する視点の移動に応じて（所定の領域内に位置したことをトリガーとして）解説の読み上げ（音声出力）を開始することが記載されているものと認められる。
　また，センタ装置から送信されたコンテンツを試聴することは，引用例１の上記摘記事項（Ｂ）にも記載されており，また，ストリーミング技術を使った新譜音楽ＣＤの楽曲試聴サービスが行われていることも周知（例えば，日経マルチメディア，第３９号，１９９８年９月１５日，ｐ．１９４−１９５など参照）であり，楽曲試聴は当該楽曲の内容を直接的に紹介する解説に対応するものと認められる。
　そうしてみると，楽曲のコンテンツを配信する引用例１記載の発明の視聴要求受信手段を，「上記コンテンツ取得装置から上記３次元画像の表示状態に応じて送信された視聴要求を受信する視聴要求受信手段」とするとともに，「上記コンテンツ取得装置から送信された，上記３次元画像の上記表示状態としての上記店内画像内で上記人物画像が対面する上記棚に関連付けられている上記コンテンツデータに基づく上記コンテンツの試聴を要求する上記視聴要求を受信する」ものとすることは，当業者が容易に成し得たものと認められる。
　したがって，相違点２に係る本願補正発明の構成は，引用例１記載の発明，引用例１，２の記載事項及び周知技術に基づいて，当業者が容易に想到し得たものである。
　
［本願発明の作用効果］
　本願補正発明の作用効果は，引用例１，２及び周知技術から当業者が予測できる範囲のものである。
　
［まとめ］
　したがって，本願補正発明は，引用例１記載の発明，引用例１，２の記載事項及び周知技術に基づいて，当業者が容易に発明することができたものである。
　
（５）むすび
　以上のとおり，本件補正は，特許法第１７条の２第５項において準用する同法第１２６条第５項の規定に違反するものであるから，同法第１５９条第１項の規定において読み替えて準用する同法第５３条第１項の規定により却下すべきものである。
　
３．本願発明について
（１）本願請求項１３に係る発明について
　平成１７年７月２５日付けの手続補正は上記のとおり却下されたので，本願の請求項１３に係る発明（以下，「本願発明」という。）は，平成１７年４月８日付け手続補正書の特許請求の範囲の請求項１３において，上記２．３．１で示した明らかな誤記を正した記載により特定される，下記のとおりのものである。
【請求項１３】
　コンテンツ取得装置にコンテンツデータを提供するコンテンツ提供装置において，
　複数種類の上記コンテンツデータの中から顧客が所望する顧客所望コンテンツデータを選択させるための３次元画像を記憶する画像記憶手段と，
　上記コンテンツ取得装置から送信された画像要求を受信する画像要求受信手段と，
　上記画像要求受信手段により受信された上記画像要求に応じて上記画像記憶手段から上記３次元画像を読み出し，当該読み出した上記３次元画像を上記コンテンツ取得装置に送信する画像送信手段と，
　上記コンテンツ取得装置から上記３次元画像の表示状態に応じて送信された視聴要求を受信する視聴要求受信手段と，
　上記視聴要求受信手段により受信された上記視聴要求に対応する上記コンテンツデータに基づくコンテンツの視聴用データをストリーミング形式で上記コンテンツ取得装置に送信するデータ送信手段と
　を具え，
　上記画像記憶手段は，
　移動可能な人物を表す人物画像を含む上記３次元画像を記憶し，
　上記視聴要求受信手段は，
　上記コンテンツ取得装置から上記３次元画像の上記表示状態としての当該３次元画像内の上記人物画像の位置に応じて送信された上記視聴要求を受信する
　ことを特徴とするコンテンツ提供装置。
　
（２）引用例
　原査定の拒絶の理由に引用された引用例１，２及びその記載事項は，前記「２．３．３（２）」に記載したとおりである。　
　
（３）対比
　そこで，本願発明と引用例１記載の発明とを比較すると，
ａ）引用例１記載の発明の「端末」，「コンテンツ」は，それぞれ，本願発明の「コンテンツ取得装置」，「コンテンツデータ」に相当し，
ｂ）引用例１記載の発明の「コンテンツリスト」と，本願発明の「画像」は，「コンテンツ選択用表示」である点で共通することから，引用例１記載の発明の「上記端末から送信されたコンテンツリスト要求を受信するコンテンツリスト要求受信手段」と，本願発明の「上記コンテンツ取得装置から送信された画像要求を受信する画像要求受信手段」は，「上記コンテンツ取得装置から送信されたコンテンツ選択用表示要求を受信するコンテンツ選択用表示要求受信手段」で共通し，
ｃ）引用例１記載の発明の「上記コンテンツリスト要求受信手段により受信された上記コンテンツリスト要求に応じて複数種類の上記コンテンツの中から顧客が所望する顧客所望コンテンツを選択させるためのコンテンツリストを上記端末に送信するコンテンツリスト送信手段」と，本願発明の「複数種類の上記コンテンツデータの中から顧客が所望する顧客所望コンテンツデータを選択させるための３次元画像を記憶する画像記憶手段」及び「上記画像要求受信手段により受信された上記画像要求に応じて上記画像記憶手段から上記３次元画像を読み出し，当該読み出した上記３次元画像を上記コンテンツ取得装置に送信する画像送信手段」は，「上記コンテンツ選択用表示要求受信手段により受信された上記コンテンツ選択用表示要求に応じて複数種類の上記コンテンツの中から顧客が所望する顧客所望コンテンツを選択させるためのコンテンツ選択用表示を上記コンテンツ取得装置に送信するコンテンツ選択用表示送信手段」で共通し，
ｄ）引用例１記載の発明の「コンテンツ要求」は，本願発明の「視聴要求」に相当することから，引用例１記載の発明の「上記端末から上記コンテンツリストに応じて送信されたコンテンツ要求を受信するコンテンツ要求受信手段」と，本願発明の「上記コンテンツ取得装置から上記３次元画像の表示状態に応じて送信された視聴要求を受信する視聴要求受信手段」は，「上記コンテンツ取得装置から上記コンテンツ選択用表示に応じて送信された視聴要求を受信する視聴要求受信手段」で共通し，
ｅ）引用例１記載の発明の「コンテンツをストリーミング配信で上記端末に送信する」ことは，本願発明の「コンテンツデータに基づくコンテンツの視聴用データをストリーミング形式で上記コンテンツ取得装置に送信する」に対応することから，引用例１記載の発明の「上記コンテンツ要求受信手段により受信された上記コンテンツ要求に対応する上記コンテンツをストリーミング配信で上記端末に送信するデータ送信手段」と，本願発明の「上記視聴要求受信手段により受信された上記視聴要求に対応する上記コンテンツデータに基づくコンテンツの視聴用データをストリーミング形式で上記コンテンツ取得装置に送信するデータ送信手段」は，「上記視聴要求受信手段により受信された上記視聴要求に対応する上記コンテンツデータに基づくコンテンツの視聴用データをストリーミング形式で上記コンテンツ取得装置に送信するデータ送信手段」で共通し，
ｆ）引用例１記載の発明の「センタ装置」と，本願発明の「コンテンツ提供装置」は，以下の点で相違するものの，「コンテンツ提供装置」である点で共通していることから，
　本願発明と引用例１記載の発明は，
「コンテンツ取得装置にコンテンツデータを提供するコンテンツ提供装置において，
　上記コンテンツ取得装置から送信されたコンテンツ選択用表示要求を受信するコンテンツ選択用表示要求受信手段と，
　上記コンテンツ選択用表示要求受信手段により受信された上記コンテンツ選択用表示要求に応じて複数種類の上記コンテンツの中から顧客が所望する顧客所望コンテンツを選択させるためのコンテンツ選択用表示を上記コンテンツ取得装置に送信するコンテンツ選択用表示送信手段と，
　上記コンテンツ取得装置から上記コンテンツ選択用表示に応じて送信された視聴要求を受信する視聴要求受信手段と，
　上記視聴要求受信手段により受信された上記視聴要求に対応する上記コンテンツデータに基づく上記コンテンツの視聴用データをストリーミング形式で上記コンテンツ取得装置に送信するデータ送信手段と
　を具えるコンテンツ提供装置」
である点で一致し，以下の点で相違している。
　
［相違点１］
　コンテンツ選択用表示要求受信手段で要求を受信し，コンテンツ選択用表示送信手段で送信する，「複数種類の上記コンテンツデータの中から顧客が所望する顧客所望コンテンツデータを選択させるためのコンテンツ選択用表示」が，本願発明では，「移動可能な人物を表す人物画像を含む３次元画像」であり，当該３次元画像を記憶する「画像記憶手段」を具え，「コンテンツ選択用表示送信手段」が，「上記画像記憶手段から上記３次元画像を読み出し，当該読み出した上記３次元画像を上記コンテンツ取得装置に送信する画像送信手段」であるのに対して，引用例１記載の発明では，「コンテンツリスト」であり，当該コンテンツリストの記憶手段を具え，「コンテンツ選択用表示送信手段」が，記憶手段から送信する情報を検索して読み出しているかどうか明確ではない点。
　
［相違点２］
　上記コンテンツ取得装置から上記コンテンツ選択用表示に応じて送信された視聴要求を受信する視聴要求受信手段が，本願発明では，「上記コンテンツ取得装置から上記３次元画像の表示状態に応じて送信された視聴要求を受信する視聴要求受信手段」であり，「上記視聴要求受信手段は，上記コンテンツ取得装置から上記３次元画像の上記表示状態としての当該３次元画像内の上記人物画像の位置に応じて送信された上記視聴要求を受信する」ものであるのに対して，引用例１記載の発明では，「コンテンツリスト」から選択されたコンテンツ要求を受信するものである点。
　
（４）当審の判断
［相違点１について］
　引用例２の上記摘記事項（Ｄ）に，３次元コンピュータグラフィックの描画技術を用いて，買い手に『バーチャルウォークスルー』を行わせる仮想店舗システムや仮想展示システムが従来技術として記載されており，販売・展示システムのユーザーインターフェースとして，３次元画像表示を用いることは，この出願の出願前において，一般に行われていることであり，引用例１記載の発明において，コンテンツを選択のためのユーザーインターフェースとして，引用例２記載の技術的事項を採用することは，当業者が行う通常の創作活動の範囲内のものと認められる。
　そして，引用例２の上記摘記事項（Ｅ）には，シーンデータ記憶部に，３次元仮想空間内の展示物や建造物等の表示すべき物体の位置や形状を定義するオブジェクトを記憶することが記載されており，また，このような３次元仮想空間内において，移動可能な人物を表す人物画像（アバター画像）を用いることは周知技術であることを勘案すれば，引用例１記載の発明の「コンテンツ選択用表示」として，「移動可能な人物を表す人物画像を含む３次元画像」を採用し，当該３次元画像を記憶する「画像記憶手段」を具え，「コンテンツ選択用表示送信手段」を，「上記画像記憶手段から上記３次元画像を読み出し，当該読み出した上記３次元画像を上記コンテンツ取得装置に送信する画像送信手段」とすることは，当業者が容易に成し得たものと認められる。
　したがって，相違点１に係る本願発明の構成は，引用例１記載の発明，引用例２の記載事項及び周知技術に基づいて，当業者が容易に想到し得たものである。
　
［相違点２について］
　引用例２の上記摘記事項（Ｄ）には，仮想空間内の展示物に対して，操作者がキーパッド等を操作してこれらの何れかに視線を向けると，これらの展示内容のうち，視野内に入るものが，グラフィックスとしてディスプレィに表示され，これらのグラフィックスに対応して，これらの展示物のセールスポイント（解説）が読み上げられる（０００５段落）ことから，操作者が操作して展示物に視線を向け，視野内の展示物に対応する解説が読み上げられること，すなわち，仮想空間内の表示状態として対面する展示物（商品）に関連づけられているセールスポイント（解説）を要求していることが記載されており，また，解説の読み上げには，他にも仮想空間において所定の解説を読み上げる音源スポットを何個か設けておき，視点がこれらの音源スポットの近傍を横切る度に各音源スポットの解説を読み上げるといったものもある（０００７段落）ことから，音源スポットに対する視点の移動に応じて（所定の領域内に位置したことをトリガーとして）解説の読み上げ（音声出力）を開始することが記載されているものと認められる。
　そうしてみると，楽曲のコンテンツを配信する引用例１記載の発明の視聴要求受信手段を，「上記コンテンツ取得装置から上記３次元画像の表示状態に応じて送信された視聴要求を受信する視聴要求受信手段」とするとともに，「上記コンテンツ取得装置から上記３次元画像の上記表示状態としての当該３次元画像内の上記人物画像の位置に応じて送信された上記視聴要求を受信する」ものとすることは，当業者が容易に成し得たものと認められる。
　したがって，相違点２に係る本願発明の構成は，引用例１記載の発明，引用例２の記載事項に基づいて，当業者が容易に想到し得たものである
［本願発明の作用効果］
　本願発明の作用効果は，引用例１，２及び周知技術から当業者が予測できる範囲のものである。
　
［まとめ］
　したがって，本願発明は，引用例１記載の発明，引用例２の記載事項及び周知技術に基づいて，当業者が容易に発明することができたものである。
　
（５）むすび
　以上のとおり，本願発明は，引用例１記載の発明，引用例２の記載事項に基づいて，当業者が容易に発明することができたものであるから，特許法第２９条第２項の規定により特許を受けることができない。
　よって，結論のとおり審決する。